(57)【要約】【課題】消火用圧力水（１）と消火用圧力泡薬液（２）と消火用圧縮空気と（３）とを混合して合成された泡消火剤（１７）が、主配管（４a）および消防ホース（６）内を高速で流動する、泡消火剤（１７）を形成している泡粒が圧迫破壊され消滅消耗するのを抑制する。【課題を解決する手段】消火用圧力水（１）と消火用圧力泡薬液（２）とを混合して生成された主配管（４ａ）内の消火剤溶液に消火用圧縮空気（３）を噴出させて泡消火剤を生成する圧縮空気導管（１１）の接続部（１２）の接続位置よりも上流側で、主配管（４a）で屈曲し、下流側端部（４b）が下方に向けて傾斜形成される。【選択図】図１
2014003999.tif 000002
【特許請求の範囲】
【請求項１】
消火用圧力水（１）と、
消火用圧力泡薬液（２）と、
消火用圧縮空気（３）とを混合して合成された泡消火剤（１７）を、
主配管（４ａ）およびホースジョイント（５ａ）と、消防ホース（６）と消火ノズル（７）とを介して火点（１８）に向けて放射し消火する圧縮空気泡消火装置において、
前記消火用圧縮空気（３）を前記主配管（４a）へ導く圧縮空気導管（１１）の接続部（１２）の接続位置よりも上流側で、
前記主配管（４a）の下流側端部（４b）が下方に向けて屈曲されている、
ことを特徴とする特徴とする圧縮空気泡消火装置。
【請求項２】
前記ホースジョイント（５ａ）を前記圧縮空気泡消火装置の前後および左右の側方に配置されていることを特徴とする請求項１に記載の圧縮空気泡消火装置。
【請求項３】
前記主配管（４a）の下流側端部（４ｂ）に自在ホースジョイント（５ｂ）を介装されていることを特徴とする請求項１または請求項２記載の圧縮空気泡消火装置。
【発明の詳細な説明】
【技術分野】
【０００１】
本発明は、圧力水（１）と、加圧された泡消火薬液（２）および圧縮空気（３）を混合して発泡される泡を、主配管（４ａ）と消防ホース（６）および消火ノズル（７）を介して火点（１８）に向けて放射して消火を行なう場合に、泡消火剤（１７）が生成される圧縮空気吐出口（１２）の周辺と消火ノズルの間で消滅する泡の量を抑制しようとするものに関する。
【背景技術】
【０００２】
従来の火災消火手段では、水ポンプによって高圧に昇圧された大量の水を火災場所とその周辺に消火用ノズルで火災発生箇所に放水して消火作業がなされていた。このため火災現場では大量の消火用水による水損、すなわち二次災害が発生するという問題があった。
近年では、この問題を軽減する手段として圧縮空気泡消火装置、（KAFS）が普及している。
【０００３】
〔特許文献１の技術〕
特許文献１には、従来の水ポンプ消防自動車の技術が記載されている。該文献１の図１にみられるように吸水口（７）および送水口（８）と吸水管（９）および吐水管（１０）が、消防車のシャーシに対し粗平行にかつ前方に向けて配設されている。
【０００４】
〔特許文献１の課題〕
特許文献１にみられる配管の形態によれば、図示されていない消防ホースの内側に挿入されるホースジョイントを形成する構成部材の厚み分だけ狭められているホースジョイント内を通過する消火用圧力水の流速は瞬間的に増速され昇圧されるホースジョイント通過直後の水流水圧によって消防ホースは硬直化されるため、通常の消火作業は支障なく果たされる。
【０００５】
ところが、図示されない水源の水位低下などにより吸管から空気が一時的に吸い込まれた場合に、上記したような送水形態によって硬直化していた消防ホース内を空気が通過する時、通常、消防ホースは激しく揺れ動き、該特許文献１の図１に見られる送水口（８）に、本来接続される図示されない消防ホースは、送水口（８）から約０，５〜１，５メートルの位置で消防ホースおよび消防ホース内の消火水の質量に伴う重力によって折れ曲がることが多い。
このようにして折り曲げられた狭窄部位によって消防ホース内の流体摩擦損出が増大し消火ノズルによる放水性能が著しく低下し、消防能力も大きく損なわれる。
また、水ポンプが正常な吸水と吐水状態に回復されても、いったん折れ曲がった消防ホースの狭窄部位は、水ポンプ自身の吐水圧力による回復、すなわち消防ホースは再び自力では硬直化され難いので、消防作業員の手作業によって介助修復される必要があった。
〔課題１〕
【０００６】
〔非特許文献１および２にみられる技術〕
図４にみられるように車両（２０）に搭載される圧縮空気泡消火装置により生成された消火泡（１７）をシャーシと粗平行に車両の後方に向けて配設される主配管４から消防ホース（６）へと導かれた消火泡（１７）が消火ノズル（７）から火点（１８）に向けて放出される形態の技術が記載されている。
【０００７】
〔非特許文献１にみられる課題〕（図４）
図４に明らかなように高圧の消火泡（１７）によって消防ホース（６）が硬直化され硬直部（１５）が圧縮空気泡消火装置Fの後方に長く突出形成されている。圧縮空気泡消火装置Fの後方側面および左右側面には多くの消防計器を監視するモニータおよび制御機器を操作するコントローパネル又は弁を開閉操作するレバー等が配設されており、通常消防隊員はこれら機器の操作と監視のために自由に移動可能なスペースが確保される必要がある。このためこのような硬直部（１５）は消防隊員にとって大きな障害物となっている。
〔課題２〕      
【０００８】
〔非特許文献２にみられる課題〕（図５ａ，図５ｂ）
図５aにみられるような圧縮空気泡消火装置Fによって生成された泡による消火剤（１７）は弾力性に富むため消防ホース（６）の自重および消防ホース（６）の引き回し不適などにより折り曲げられるという事象が多発する。
図５ｂに明らかなようにこの折り曲げられた狭窄部位（１６）は通常の消防ホース（６）の断面積の５０％程度に狭められている。このため、消火泡（１７）を本質的に形成気泡粒が狭窄部位（１６）を通過する時、圧迫破壊され消火泡（１７）の泡量が極端に減少し消火能力が低下するという問題があった。                        〔課題３〕
【先行技術文献】
【特許文献】
【０００９】
【特許文献１】特開２０００−１０７３１３
【非特許文献】
【００１０】
【非特許文献１】図４
【００１１】
【非特許文献２】図５（a）
【００１２】
【非特許文献２】図５（b）
【発明の概要】
【発明が解決しようとする課題】
【００１３】
本発明が解決しようとする課題は、上記課題〔課題１〕〜〔課題３〕を解消すると共に、下記の〔ニーズ１〕〜〔ニーズ３〕に応えようと鑑みてなされたものである。
【００１４】
従来技術である特許文献１を踏まえると、消防ホースおよび消防ホース内の消火水の質量に伴う重力によって消防ホース（６）が折れ曲がり難い構造の消防設備が求められている。                                                                〔ニーズ１〕                                    
【００１５】
従来技術である非特許文献２の図４を踏まえると、圧縮空気泡消火装置Ｆ前後および左右の側面は消防隊員の消火活動に支障を及ぼす恐れがある消防ホース（６）が硬直した硬直部（１５）等の障害物は可能な限り排除されることが望ましい。      〔ニーズ２〕
【００１６】
従来技術である非特許文献図４および図５a、図５bを踏まえると、圧縮空気泡消火装置によって生成された泡による消火剤（１７）は弾力性に富むため消防ホース（６）の自重および消防ホース（６）の引き回し不適などの外的要因により折り曲げられた狭窄部位（１６）を泡消火剤（１７）が通過する際に泡粒が押し潰されて消耗が激しく消火能力が低下するので消防ホース（６）が折れ曲がり難い構造の圧縮空気泡消火装置が求められている。                                                          〔ニーズ３〕
【課題を解決するための手段】
【００１７】
上記〔課題１〕〜〔課題３〕を解決し、〔ニーズ１〕〜〔ニーズ３〕に応えようとする本発明は以下の手段を用いた。
【００１８】
請求項１記載の発明は、消火用圧力水（１）と、消火用圧力泡薬液（２）と、消火用圧縮空気（３）とを混合して合成された消火剤（１７）を、主配管（４a）およびホースジョイント（５ａ）と、消防ホース（６）と消比ノズル（７）を介して火点（１８）に向けて放射し消火する圧縮空気泡消火装置において、
前記消火用圧縮空気（３）を前記主配管（４ａ）へ導く圧縮空気導管（１１）の接続部（１２）の接続位置よりも上流側で、前記主配管((４ａ)の下流側（４ｂ）が下方に向けて屈曲され配置されていることを特徴とする。
【００１９】
請求項２記載の発明は、前記ホースジョイント（５ａ）を前記圧縮空気泡消火装置の前後および左右の側方に配置されていることを特徴とする。
【００２０】
請求項３記載の発明は、前記主配管（４a）の下流側端部（４ｂ）に自在ホースジョイント（５ｂ）を介装されていることを特徴とする。
【発明の効果】
【００２１】
上記発明によれば、消防ホース（６）が折り曲げられて発生する狭窄部位（１６）が形成されにくくなるため、消火用圧力水（１）と、消火用圧力泡薬液（２）と、消火用圧縮空気（３）とを混合して合成された消火剤（１７）である気泡粒の圧迫破壊が抑制され消火能力が高まる。
【図面の簡単な説明】
【００２２】
【図１】図１は圧縮空気泡消火装置F1の側面図である。    （実施例１）
【図２】図２は圧縮空気泡消火装置F２の平面図である。    （実施例２）
【図３】図３は圧縮空気泡消火装置F３の側面図である。    （実施例３）
【図４】図４は非特許文献１の圧縮空気泡消火装置Fの側面図である（従来の技術文献１）
【図５ａ】図５ａは非特許文献２の圧縮空気泡消火装置Fの側面図である。（従来の技術文献２）
【図５ｂ】図５ｂは従来技術における狭窄部位（１６）の拡大図である。（従来の技術文献２）
【発明を実施するための形態】
【００２３】
以下本発明の圧縮空気泡消火装置F1、F2、F3の各実施例により図面を参照しながら説明する。なお、複数の実施例において、先の実施例と後の実施例とで実質的に同一の部材、或は同一の部分があるときには、互いに同一の符号を用い後の実施例において詳細な説明を省略することとする。
また、圧縮空気泡消火装置は、実施例１においては圧縮空気泡消火装置F1、実施例２においては圧縮空気泡消火装置F２、実施例３においては圧縮空気泡消火装置F３と記載した。
【実施例１】
【００２４】
「実施例１の構成」
図１に示すものは実施例１の圧縮空気泡消火装置F1を示し、該図において消防自動車（２０）に搭載される水ポンプで加圧された高圧の消火用圧力水（１）が吐水管（９）を介して主配管（４ａ）に導かれ送水される。
【００２５】
図１にみられる消火用圧力泡薬液（２）が導管（９）を介して適量の消火用圧力泡薬液（２）が主配管（４ａ）に導かれ消火用圧力水と混合される。
【００２６】
図１にみられるように、消火用圧縮空気（３）が導管（１１）を介して消火用圧縮空気（３）が下流側を下方に向けて曲げられて形成される主配管（４ａ）の屈曲部（１４）の下流側に配置される吐出口（１２）から主配管（４ａ）に消火用圧縮空気が吐出される。
【００２７】
図１にみられるように、その先端が下方に向くように屈曲部（１４）により曲げられ傾斜するように形成される主配管（４ａ）の下流側端部（（４ｂ）に配設されるホースジョイント（５ａ）を介して消防ホース（６）が接続される。
【００２８】
図１にみられるように、消防ホース（６）の先端部に備えるホースジョイント（５ａ）を介して消防ホース（６）の先端部に消火ノズル（７）が装着される。
【００２９】
「実施例１の作用」
図１に示すものは、消火用圧力水（１）と消火用圧力泡薬液（２）とが図示しない制御装置で夫々適量に調節された混合消火剤溶液が主配管（４ａ）に注入され流動して主配管（４ａ）の先端側を下方に向けて曲げられる屈曲部（１４）を通過した位置で混合消火溶液に消火用圧縮空気（３）を噴出させ消火剤（１７）を構成する消火剤溶液と空気からなる泡消火剤が生成される。このようにして生成された泡消火剤（１７）は、屈曲部（１４）を通過することがないので屈曲部（１４）により気泡粒の圧迫破壊が抑制され消火能力が高まる。
【００３０】
さらに図１にみられるように、主配管（４ａ）の先端側を下方に向けて好適な角度に曲げられる屈曲部（１４）の下流側に配置されるホースジョイント（５ａ）に連結される消防ホース（６）のフロア（８）に接する形態は、該図からも明らかなように消防ホース（６）の曲率半径は極めて緩やかな弧（１３）が形成れる。このため消防ホース（６）内を高速の流体速度で移動する消火剤（１７）の流体摩擦損失も軽減され消火能力が高まる。
【００３１】
図１にみられるように、屈曲部（１４）の下流側の配管を下方へ傾斜させて形成されるため圧縮空気泡消火装置F1の周辺に、消防隊員の活動を妨げるような（非特許文献図４の              （１５））にみられるような突出し硬直した消防ホース（１５）が存在しないので圧縮空気泡消火装置F1の運転操作、監視などに伴う作業員の移動がスムーズに行なえ、作業環境が改善され消防隊員の疲労が軽減される
【実施例２】
【００３２】
「実施例２の構成」
図２に示すものは実施例２の圧縮空気泡消火装置F２を示し、圧縮空気泡消火装置F２の前後および左右の側部に主配管（４ａ）側を上向きに主配管（４ａ）の下流側端部を下方に傾斜させて配置される下流側端部（４ｂ）に夫々ホースジョイント（５ａ）が配置されている。
【００３３】
「実施例２の作用」
図２にみられるように、圧縮空気泡消火装置F２の全ての側面にホースジョイント（５ａ）が配設されているため、例えば自動車（２０）に搭載される圧縮空気泡消火装置F２を道路事情が厳しい条件の火災現場で消火作業に当たる場合に、迅速にかつ圧縮空気泡消火装置F２の全ての方向へ消防ホース（６）を延伸させることができスピーディに消火活動が展開される。
【実施例３】
【００３４】
「実施例３の構成」
図３にみられるように、本実施例３では主配管（４ａ）の下流側端部（４ｂ）の近傍に、広く用いられている通常の自在ホースジョイント（５ｂ）が配設されている。
【００３５】
「実施例３の作用」
図３にみられるように、主配管（４ａ）の下流側端部（４ｂ）近傍に装着される自在ホースジョイント（５ｂ）接続されるによれば、任意の向きに素早く消防ホース（６）を引き回すことが可能になり、消火活動が迅速に展開される。
【産業上の利用可能性】
【００３６】
以上のように、従来の圧縮空気泡消火装置Fでは消防ホース（６）が粗水平に展ばされていたものに比べ、本発明の圧縮空気泡消火装置F１、F2、F3によれば、圧縮空気泡消火装置周辺の中空部において消防ホース（６）の硬直突起物が存在しないので消防活動がスムーズに実施される。
【００３７】
その他本発明は、上述した実施例に限定されることなく、本発明の主旨を逸脱しない範囲で適宜構成の付加、削除および各実施例間での部材などの組み換えが可能である。
【符号の説明】
【００３８】
１      消火用圧力水
２      消火用圧力泡液
３      消火用圧縮空気
４      主配管
５ａ    ホースジョイント
５ｂ    自在ホースジョイント
６      消防ホース
７      消火ノズル
８      フロアー
９      空気吐出管
１０    泡薬液吐出管
１１    空気導管
１２    接続部
１３    弧
１４    屈曲部
１５    硬直部
１６    狭窄部
１７    泡消火剤
１８    火点
２０    消防自動車
C      仮想中心線
【図１】
2014003999.tif 000003
【図２】
2014003999.tif 000004
【図３】
2014003999.tif 000005
【図４】
2014003999.tif 000006
【図５ａ】
2014003999.tif 000007
【図５ｂ】
2014003999.tif 000008
【手続補正書】
【提出日】平成24年10月31日(2012.10.31)
【手続補正１】
【補正対象書類名】明細書
【補正対象項目名】０００２
【補正方法】変更
【補正の内容】
【０００２】
従来の火災消火手段では、水ポンプによって加圧された大量の水を火災場所とその周辺に消火用ノズルで火災発生箇所に放水して消火作業がなされていた。このため火災現場では大量の消火用水による水損、すなわち二次災害が発生するという問題があった。
近年では、この問題を軽減する手段として圧縮空気泡消火装置、（CAFS）が普及している
。
【手続補正２】
【補正対象書類名】明細書
【補正対象項目名】０００４
【補正方法】変更
【補正の内容】
【０００４】
〔特許文献１の課題〕
特許文献１にみられる配管の形態によれば、図示されていない消防ホースの内側に挿入さ
れるホースジョイントを形成する構成部材の厚み分だけホースの内径よりも狭められたホースジョイント内を通過する消火用圧力水の流速は瞬間的に増速され加圧されるため、ホースジョイント通過直後の水流水圧によって消防ホースは硬直化されるため、通常の消火作業は支障なく果たされる。
【手続補正３】
【補正対象書類名】明細書
【補正対象項目名】０００７
【補正方法】変更
【補正の内容】
【０００７】
〔非特許文献１にみられる課題〕（図４）
図４に明らかなように高圧の消火泡（１７）によって消防ホース（６）が硬直化され硬直部（１５）が圧縮空気泡消火装置Fの後方に長く突出形成されている。圧縮空気泡消火装置Fの後方側面および左右側面には多くの消防計器を監視するモニータおよび制御機器を操作するコントロールパネル又は弁を開閉操作するレバー等が配設されており、通常消防隊員はこれら機器の操作と監視のために自由に移動可能なスペースが確保される必要がある。このためこのような硬直部（１５）は消防隊員にとって大きな障害物となっている。
〔課題２〕    
【手続補正４】
【補正対象書類名】明細書
【補正対象項目名】０００８
【補正方法】変更
【補正の内容】
【０００８】
〔非特許文献２にみられる課題〕（図５ａ，図５ｂ）
図５aにみられるような圧縮空気泡消火装置Fによって生成された泡による消火剤（１７）は弾力性に富むため消防ホース（６）の自重および消防ホース（６）の引き回し不適などにより折り曲げられるという事象が多発する。
図５ｂに明らかなようにこの折り曲げられた狭窄部位（１６）は通常の消防ホース（６）の断面積の５０％程度に狭められている。このため、消火泡（１７）の気泡粒が狭窄部位（１６）を通過する時、圧迫破壊され消火泡（１７）の気泡量が極端に減少し消火能力が低下するという問題があった。                        〔課題３〕
【手続補正５】
【補正対象書類名】明細書
【補正対象項目名】００３１
【補正方法】変更
【補正の内容】
【００３１】
図１にみられるように、屈曲部（１４）の下流側の配管を下方へ傾斜させて形成されるた
め圧縮空気泡消火装置F1の周辺に、消防隊員の活動を妨げるような（非特許文献図４の符号（１５）にみられるような）突出し硬直した消防ホース（１５）が存在しないので圧縮空気泡消火装置F1の運転操作、監視などに伴う作業員の消防活動がスムーズに行なえ、作業環境が改善され消防隊員の疲労が軽減される。
【手続補正６】
【補正対象書類名】明細書
【補正対象項目名】００３６
【補正方法】変更
【補正の内容】
【００３６】
以上のように、従来の圧縮空気泡消火装置Fでは消防ホース（６）が圧縮空気泡消火装置Fから粗水平に展ばされていたものに比べ、本発明の圧縮空気泡消火装置F１、F2、F3によれば、圧縮空気泡消火装置周辺において消防ホース（６）の硬直した突起物が存在しないので消防活動がスムーズに実施される。